(57)【要約】  【課題】  【解決手段】折り畳み可能な自動組立式ディスプレイスタンド（１０）が、大きな平面ボード（１２）の背面に取り付けられたイーゼル（１１）を具える。前記平面ボードおよび前記イーゼルは、複数の水平な折り曲げ線（１８、１９、２０）に沿って、コンパクトな折り畳まれた状態に折り畳むことができる。前記イーゼルは、Ｕ字型の水平断面と互いに平行な２枚の三角形状の側壁（１５、１６）とを有する。複数の回動可能なクロスブレース（２１、２２、２３）が、片持ち状態で前記イーゼルの本体ボード（２４）から延在している。複数の伸縮性コード（２８、２９、３０、３１、３２、３３）が、前記イーゼルの前記クロスブレースと前記側壁との間に取付けられる。前記イーゼルの側壁は、前記ディスプレイスタンドを折り畳んだ状態に折り畳む前記伸縮性コードの引っ張り力に逆らって、前記平面ボードと平行な折り畳み位置に折り畳むことができる。前記伸縮性コードは、前記ディスプレイスタンドが折り畳まれた状態のときに、伸びた状態にあり、前記クロスブレースは、前記伸びた伸縮性コードと協同して、前記ディスプレイスタンドを自動に組立て、折り畳まれた状態から直立状態にする。【選択図】図５
2008502926.tif 000002
【特許請求の範囲】
【請求項１】
折り畳み可能な自動組立式ディスプレイスタンドであって、
複数の水平な折り曲げ線に沿って折り畳んだ状態に折り畳むことができる平面ボードと、
前記平面ボードの背面の中央部に取り付けられた細長いイーゼルであって、互いに平行な２枚の概略三角形の側壁と、これらの側壁間に延在する本体ボードを具えるＵ字型の水平断面を有し、前記側壁が前記平面ボードと垂直な直立位置および前記平面ボードと平行な折り畳み位置に選択的に回動可能であり、これらの側壁が前記平面ボードの水平な折り曲げ線に整列する水平な関連する折り曲げ線を有するイーゼルと、
前記本体ボードに対して回動可能であり、前記イーゼルの側壁間に延在する複数の水平クロスブレースと、
前記クロスブレースと前記側壁との間に取り付けられ、通常時に前記クロスブレースを前記直立位置に維持するよう構成された複数の伸縮性コード手段であって、前記側壁が前記折り畳み位置にあるときに伸びた状態となる伸縮性コード手段とを具え、
前記側壁が前記折り畳み位置にある場合に、前記平面ボードおよび前記イーゼルが、前記水平な折り曲げ線に沿って、コンパクトに折り畳まれた状態に折り畳み可能となることを特徴とするディスプレイスタンド。
【請求項２】
請求項１に記載の折り畳み可能な自動組立式ディスプレイスタンドにおいて、前記平面ボードおよび前記イーゼルの前記本体ボードが、互いに整列する底縁部を具え、前記イーゼルの側壁が、上側かつ後側へ傾斜した底縁部を具え、これにより前記平面ボードの底縁部および前記イーゼルの側壁の底縁部が、互いに協同して、前記ディスプレイを垂直方向から後方に傾斜した状態で支持面に安定して支持することを特徴とするディスプレイスタンド。
【請求項３】
請求項２に記載の折り畳み可能な自動組立式ディスプレイスタンドにおいて、前記平面ボードおよび前記イーゼルはボール紙材から作られ、前記クロスブレースは、前記イーゼルの本体ボードをカットした長方形部分により形成されることを特徴とするディスプレイスタンド。
【請求項４】
請求項３に記載の折り畳み可能な自動組立式ディスプレイスタンドにおいて、前記伸縮性コード手段は、前記イーゼルのクロスブレースと左側壁との間に取り付けられた複数の第１の伸縮性コードと、前記イーゼルのクロスブレースと右側壁との間に取り付けられた複数の第２の伸縮性コードとを具えることを特徴とするディスプレイスタンド。
【請求項５】
請求項４に記載の折り畳み可能な自動組立式ディスプレイスタンドにおいて、前記第１の伸縮性コードは、前記クロスブレースに形成された第１の穴を通され、２つの自由端部が前記イーゼルの左側壁に設けられた２つの取り付け穴を通され、前記左側壁に取り付けられた第１の伸縮性コードを保持すべく前記伸縮性コードの２つの自由端部に、保持棒が取付けられ、前記第２の伸縮性コードは、前記クロスブレースに形成された第２の穴を通され、２つの自由端部が前記イーゼルの右側壁に設けられた２つの取り付け穴を通され、前記右側壁に取り付けられた第２の伸縮性コードを保持すべく前記伸縮性コードの２つの自由端部に、さらなる保持棒が取付けられることを特徴とするディスプレイスタンド。
【請求項６】
請求項５に記載の折り畳み可能な自動組立式ディスプレイスタンドであって、前記水平な折り曲げ線に沿って前記平面ボードおよび前記イーゼルの本体ボードに形成された複数の水平で細長い開口を有することを特徴とするディスプレイスタンド。
【請求項７】
折り畳み可能な自動組立式ディスプレイスタンドであって、
複数の水平な折り曲げ線に沿って折り畳んだ状態に折り畳むことができる平面ボードと、
前記平面ボードの背面の中央部に取り付けられた細長いイーゼルであって、互いに平行な２枚の概略三角形の側壁と、これらの側壁間に延在する本体ボードを具えるＵ字型の水平断面を有し、前記側壁が前記平面ボードと垂直な直立位置および前記平面ボードと平行な折り畳み位置に選択的に回動可能であり、これらの側壁が前記平面ボードの水平な折り曲げ線に整列する水平な関連する折り曲げ線を有するイーゼルと、
前記側壁のそれぞれの長さ全体に形成された縦の折曲げ縁部と、
前記本体ボードに対して回動可能であり、前記本体ボードから片持ち状態で延在し、前記側壁の間に配置された複数の水平クロスブレースと、
前記クロスブレースと前記側壁との間に取付けられ、通常時に前記クロスブレースを前記直立状態に維持するように構成された複数の伸縮性コード手段であって、前記側壁が前記折り畳み位置にあるときに伸びた状態となる伸縮性コード手段とを具え、
前記側壁が前記折り畳み位置にある場合に、前記平面ボードおよび前記イーゼルが、前記水平な折り曲げ線に沿って、コンパクトに折り畳まれた状態に折り畳み可能となり、前記クロスブレースが、伸びた状態の前記伸縮性コード手段と協同して、前記折り畳んだ状態の前記ディスプレイスタンドを自動的に直立状態にすることを特徴とするディスプレイスタンド。
【請求項８】
請求項７に記載の折り畳み可能な自動組立式ディスプレイスタンドであって、前記クロスブレースのそれぞれに設けられた２つの穴と、前記側壁の左側壁に設けられ前記クロスブレースの１つに近設された第１の取付け穴と、前記側壁の右側壁に設けられ前記クロスブレースの１つに近設された第２の取付け穴とを具え、前記伸縮性コード手段の１つが、前記クロスブレースの１つに設けられた前記２つの穴と、前記右側壁および前記左側壁それぞれの前記第１の開口および前記第２の開口とに通される細長い伸縮性コードであり、当該細長い伸縮性コードの２つの端部が、前記側壁の折曲げ縁部に被さって、前記第１の取り付け穴および前記第２の取付け穴のそれぞれに取り付けられ、前記細長い伸縮性コードの２つの自由端部に保持棒が取付けられて前記側壁に取り付けられた前記伸縮性コードを保持するよう構成されていることを特徴とするディスプレイスタンド。
【請求項９】
請求項８に記載の折り畳み可能な自動組立式ディスプレイスタンドにおいて、前記平面ボードおよび前記イーゼルの前記本体ボードが、互いに整列する底縁部を具え、前記イーゼルの側壁が、上側かつ後側へ傾斜した底縁部を具え、これにより前記平面ボードの底縁部および前記イーゼルの側壁の底縁部が、互いに協同して、前記ディスプレイを垂直方向から後方に傾斜した状態で支持面に安定して支持することを特徴とするディスプレイスタンド。
【請求項１０】
請求項９に記載の折り畳み可能な自動組立式ディスプレイスタンドが、前記本体ボードおよび当該本体ボードに並んだ前記平面ボードの部分に、前記水平な折り曲げ線に沿って形成された複数の細長い水平開口部を具えることを特徴とするディスプレイスタンド。
【請求項１１】
請求項１０に記載の折り畳み可能な自動組立式ディスプレイスタンドにおいて、前記細長い伸縮性コードの端部は、前記左側壁および前記右側壁それぞれの前記第１の取り付け穴および前記第２の取り付け穴の外側から内側に通されることを特徴とするディスプレイスタンド。
【発明の詳細な説明】
【技術分野】
【０００１】
本発明は、背面に一体形成された支持用のイーゼルを具える折り畳み可能なスタンドに関する。スタンドおよびイーゼルは、輸送や収納に便利なようにパッケージを小さくすべく複数の水平な折り曲げ線に沿って折り畳んだ状態に折り畳むことができ、折り畳んだ状態から直立した状態に自動で組み立てられる。
【背景技術】
【０００２】
ボール紙材からなるスタンドは、一般に商品を展示するのに使用されている。これらは費用効果があり、利用するのに便利である。このようなスタンドは、イーゼルにより支えられる大きな平面ボードが備えられている。このボードには、顧客の注意をひくためにボードの前面に描かれた魅力的な広告デザインがあり、フックに掛けたおよび／またはボードに取り付けられたトレイに置いた商品を展示するための設備がある。イーゼルは、ほぼ直立した状態で平面ボードを支持するＬ字型またはＴ字型の脚部を具える。このようなスタンドに共通する欠点は、イーゼルのＬ字型またはＴ字型の脚部が、平面ボードの寸法に対して小さくまた構造的に弱いため、使用時に簡単に壊れてしまいスタンドが使えなくなることである。
【０００３】
いくつかのスタンドは、水平な折り曲げ線に沿って折り畳んで収納や輸送に便利なようにコンパクトに折り畳まれた状態にすることができ、またディスプレイの組立てを容易にするために自動で組立てられて折り畳んだ状態から直立した状態にすることができる。自動組み立て機能は、イーゼルの平行して垂直な側壁間に直接取り付けられる複数の伸縮性バンドにより提供される。スタンドおよびイーゼルは、伸縮性バンドを張力に逆らって引っ張ることにより、折り畳んだ状態に折り畳むことができ、また折り畳んだ状態のスタンドは、頂部を掴んで上に持ち上げることによって引っ張られた伸縮性バンドがスタンドおよびイーゼルを引っ張ることにより直立し、即座に直立状態になる。スタンドを簡単に折り畳んで自動組み立て可能な許容できる伸縮性バンドを選択することには、大きな問題がある。伸縮性バンドは、スタンドおよびイーゼルを簡単に折り畳める程度に弾力が強くあってはならず、また、折り畳まれたスタンドやイーゼルを直立した状態に戻すのに十分な弾力を有する必要がある。別の問題は、イーゼルの側壁に伸縮性バンドを直接取り付けるために、側壁が取り付け位置で変形したり破れてしまい、直立した状態で平面ボードを支持する側壁の一体性や強度が失われてしまうことである。
【０００４】
自動組立式スタンドおよびイーゼルに関するさらに別の共通の問題は、折り畳んだ状態のボール紙材が、折り畳もうとする復元力を保持してしまい、伸縮性バンドの張力により直立した状態に素速く展開することができないことである。
【発明の開示】
【発明が解決しようとする課題】
【０００５】
本発明の主要な目的は、直立した状態でしっかりと立つようにスタンドを支持する比較的頑丈なイーゼルを具える折り畳み可能なディスプレイスタンドを提供することである。
【０００６】
本発明の別の目的は、素速く簡単な自動組立式のイーゼルを具える折り畳み可能なディスプレイスタンドを提供することである。
【０００７】
本発明の別の目的は、組立て操作を実行するための伸縮性コードがイーゼルの側壁間に直接取り付けられていない、折り畳み可能な自動組立式ディスプレイスタンドを提供することである。
【０００８】
本発明のさらに別の目的は、回動可能なクロスブレースを操作することによりイーゼルおよび平面ボードが直立する、折り畳み可能な組立式ディスプレイスタンドを提供することである。
【０００９】
本発明のさらに別の目的は、折り畳もうとする復元力に影響されない、折り畳み可能な組立式ディスプレイスタンドを提供することである。
【発明を実施するための最良の形態】
【００１０】
参照番号が複数の図で対応する部分を示す図を参照すると、本発明のディスプレイスタンド１０の具体的な実施例は、平面ボード１２の背面の中央部に設けられたイーゼル１１を備え、一体的に構成された構造を形成している。イーゼル１１および平面ボード１２は、一枚のボール紙材のシートから作られる。イーゼル１１は、Ｕ字型の水平断面を有し、２枚の平行する側壁１３および１４は、概略三角形状である。側壁１３および１４の底縁部１５および１６はそれぞれ、平面ボード１２の底縁部１７と整列し、上側かつ後側に小さな角度で傾斜しているため、直立した状態において平面ボードの頂部が僅かに後方へ傾き、スタンドに安定性を提供するとともに、当該平面の前面が看者からより見やすくなる。長方形をした回動可能な３つのクロスブレース２１、２２、および２３が、イーゼル１１に形成されている。これらのクロスブレース２１、２２、および２３は、イーゼル１１の中央ボード２４をカットして作ることができ、片持ち状態で中央ボード２４に対して水平方向に回動する。折り畳んだ状態では、クロスブレース２１、２２、２３は、ブレースが形成される中央ボード２４の長方形の各開口部２５、２６、および２７の内側で同一平面上になるように配置される。
【００１１】
伸縮性コード２８が、クロスブレース２１に設けられる穴３４と側壁１３に設けられる取り付け穴３５および３６とを通って、上部クロスブレース２１とイーゼル１１の側壁１３との間に取り付けられる。２本の支持棒３７および３８が、伸縮性コード２８を取り付け位置に保持すべく伸縮性コードの２つの端部に設けられる。同様に伸縮性コード２９が、クロスブレース２１に設けられる穴３９とイーゼル１１の側壁１４に設けられる２つの取り付け穴４０および４１とを通って、上部クロスブレース２１と側壁１４との間に取り付けられる。２本の支持棒４２および４３が、伸縮性コード２９の２つの端部に設けられる。伸縮性コード３０が、中央クロスブレース２２に設けられる穴４４とイーゼル１１の側壁１３に設けられる２つの取り付け穴４５および４６とを通って、中央クロスブレース２２とイーゼル１１の側壁１３との間に取り付けられる。２本支持棒４７および４８が、伸縮性コード３０の２つの端部に設けられる。伸縮性コード３１が、中央クロスブレース２２に設けられる穴４９とイーゼル１１の側壁１４に設けられる２つの取り付け穴５０および５１とを通って、中央クロスブレース２２とイーゼル１１の側壁１４との間に取り付けられる。２本の支持棒５２および５３が、伸縮性コード３１の２つの端部に設けられる。伸縮性コード３２は、下部クロスブレース２３に設けられる穴５４とイーゼル１１の側壁１３に形成される２つの取り付け穴５５および５６とを通って、下部クロスブレース２３およびイーゼル１１の側壁１３との間に取り付けられる。２本の支持棒５７および５８が、伸縮性コード３２の２つの端部に設けられる。伸縮性コード３３が、下部クロスブレース２３に設けられる穴５９とイーゼル１１の側壁１４に設けられる２つの取り付け穴６０および６１とを通って、下部クロスブレース２３とイーゼル１１の側壁１４との間に取り付けられ、２本の支持棒６２および６３が、伸縮性コード３３の２つの端部に設けられる。伸縮性コード２８、２９、３０、３１、３２、および３３は、クロスブレース２１、２２、および２３と協同して、通常時に側壁１３および１４が互いに平行になる位置に維持し、イーゼル１１および平面ボード１２を直立した状態に維持する。側壁１３および１４は、伸縮性コード２８、２９、３０、３１、３２、および３３の張力に逆らって、２本の垂直な折り曲げ線６４および６５に沿ってイーゼル１１の中央ボード２４に対して外側へ折り曲げられる。
【００１２】
側壁１３および１４が外側に折り畳まれた状態にあるとき、ディスプレイスタンド全体は、図４に最もよく示すように、収納や輸送に便利な小さく折り畳んだ状態になるまで、平面ボード１２の水平な折り曲げ線１８、１９、および２０に沿って矢印６９、７０、７１、７２、７３、および７４が示す方向に折り畳むことができる。
【００１３】
平面ボードおよびイーゼルを簡単に折り曲げて折り畳んだ状態にすることができるよう、中央ボード２４および平面ボード１２の水平な折り曲げ線１８、１９、および２０に沿って細長い水平開口部６６、６７、および６８が形成されている。
【００１４】
折り畳んだ状態のディスプレイスタンド１０は、上端部７５を掴んで上に持ち上げることにより簡単に組立てることができ、伸びた伸縮性コード２８、２９、３０、３１、３２、および３３の張力により、クロスブレース２１、２２、および２３が上側に回動し、イーゼル１１の側壁１３および１４もまた、折り曲げ線６４および６５に沿って互いが向かい合うように回動し、組立て式ディスプレイを直立した状態に戻す。また、クロスブレース２１、２２、および２３の回動動作により、側壁１３および１４が押され、側壁の広範な表面領域を擦動して互いが平行になる位置に戻り、これにより伸びた伸縮性コード２８、２９、３０、３１、３２、および２２の側壁１３および１４の取り付け穴に集中的に作用する過度な張力が取り除かれる。したがって、側壁１３および１４は、イーゼルの側壁の小さな取り付け位置の間に伸縮性バンドが直接取り付けられている従来のディスプレイスタンドのように、自動組み立て動作で伸びた伸縮性コードの張力により変形することがない。
【００１５】
本発明のディスプレイスタンドの代替的な好適な実施例が、図５から１０に示されている。本実施例はさらに、スタンドを折り畳もうとする復元力を軽減し、自動的に素速く直立することができる。イーゼル１１の側壁１３、１４に形成された縦に折り曲げられた縁部８０、８１がこの機能を提供する。前述の実施例の６本の伸縮性コードの代わりに、３本の伸縮性コード８２、８３、および８４が使用される。伸縮性コード８２は、上部クロスブレース２１の穴３４および３９を通され、当該コードの２つの端部は、折曲げ縁部８０および８１上に被さるように配置され、側壁１３および１４に設けられた取り付け穴８５および８６の外側から内側に通される。支持棒８７および８８が、伸縮性コード８２の２つの端部に取り付けられ、コードを取り付け位置に維持する。同様に、伸縮性コード８３は、中央クロスブレース２２の穴４４および４９を通され、当該コードの２つの端部は、折曲げ縁部８０および８１上に被さるように配置され、イーゼル１１の側壁１３および１４に設けられた取り付け穴８９および９０の外側から内側に通され、２本の支持棒９１および９２は、当該コードの２つの端部に取り付けられ、コードを取り付け位置に維持する。伸縮性コード８４は、下部クロスブレース２３の穴５４および５９を通され、当該コードの２つの端部は、折曲げ縁部８０および８１上に被さるように配置され、イーゼル１１の側壁１３および１４に設けられた取り付け穴８９および９０の外側から内側に通される。２本の支持棒９５および９６は、伸縮性コード８４の２つの端部に取り付けられ、コードを取り付け位置に維持する。図示するように３本の伸縮性コード８２、８３、および８４を使用するのが好ましいが、前述の実施例に示すように６本の伸縮性コード２８から３３を使用して、折曲げ縁部８０および８１上に被さるように配置し、イーゼル１１の側壁１３および１４の取り付け穴８９および９０のそれぞれに外側から内側に通して同じ機能を提供してもよい。
【００１６】
この代替的な実施例のディスプレイスタンド１０は、側壁１３および１４を、伸縮性コード８２、８３、および８４の張力に逆らって、垂直な折り曲げ線６４および６５に沿って素速く折り曲げることにより、前述の第１の実施例と同じように折り畳むことができる。平面ボード１２および折り畳まれたイーゼルは、水平な折り曲げ線１８、１９、および２０に沿って、前述した実施例と同様に、矢印６９、７０、７１、７２、７３、および７４で示す方向に折り畳まれる。伸縮性コードが折曲げ縁部８０および８１上に被さることにより、これらの縁部が確実に折り曲げられた状態で維持され、ディスプレイスタンドの折り畳もうとする復元力を阻害すると同時に、イーゼルの側壁に強度を提供する。
【００１７】
イーゼルの側壁１３および１４の概略三角形状は、強度を提供してディスプレイスタンド１０を直立した状態でしっかりと支持する。イーゼルの側壁１３および１４の底縁部ならびに平面ボードの底縁部は、協同してディスプレイスタンドを支持するため、支持面に安定してしっかりともたれ掛けることができる。
【００１８】
本発明の好適な実施例を示し説明したが、本発明の目的または不可欠な特徴から逸脱しない範囲で様々な変更を加えることができると理解されるべきであり、このような制限は添付の請求項によってのみ課されることが好ましい。
【図面の簡単な説明】
【００１９】
【図１】図１は、直立した状態における本発明のスタンドの後方斜視図である。
【図２】図２は、イーゼルの概略三角形の側壁を示すスタンドの側面図である。
【図３】図３は、イーゼルが折り曲げられた状態のスタンドの背面図である。
【図４】図４は、折り畳み始めたときのスタンドの斜視図である。
【図５】図５は、直立した状態における本発明のスタンドの好適な代替例の後方斜視図である。
【図６】図６は、好適な実施例のスタンドの側面図である。
【図７】図７は、直立した状態におけるイーゼルを具える好適な実施例の背面図である。
【図８】図８は、折り畳まれている好適な実施例のスタンドの後方斜視図である。
【図９】図９は、図５に示すスタンドのＩＸ−ＩＸ線に沿った断面図である。
【図１０】図１０は、図７に示すスタンドのＸ−Ｘ線に沿った断面図である。
【図１】
2008502926.tif 000003
【図２】
2008502926.tif 000004
【図３】
2008502926.tif 000005
【図４】
2008502926.tif 000006
【図５】
2008502926.tif 000007
【図６】
2008502926.tif 000008
【図７】
2008502926.tif 000009
【図８】
2008502926.tif 000010
【図９】
2008502926.tif 000011
【図１０】
2008502926.tif 000012
【国際調査報告】
2008502926.tif 000013
2008502926.tif 000014